(57)【要約】【課題】窓ガラスに結露を発生させないように、窓ガラスに貼り付けて用いる結露防止シートであって、貼り付けても窓ガラスの光透過性を維持して視界を遮らないシートを提供する。また、一旦、窓ガラスに貼り付けた結露防止シートを窓ガラスから剥がしても窓ガラスに糊残りがなく、かつ再度、窓ガラスに貼り付けることができる結露防止シートを提供する。【解決手段】  窓ガラスに貼り付けて用いる結露防止シートであって、断熱効果のある断熱層と、前記断熱層に積層された透明性を阻害しない再剥離性粘着層と、を有する結露防止シートを提供する。再剥離性粘着層は、引張弾性率が３〜５０ＭＰaであり、２３０℃、荷重２．１６ｋｇでのＭＦＲが１〜１００ｇ／１０ｍｉｎ．であり、ガラス板の表面に貼着し６０分間放置後に前記ガラス板の表面から剥離したときの粘着力（ＪＩＳ Ｚ０２３７）が、０．３〜５０Ｎ／２５ｍｍであることが好ましい。【選択図】図２
0003159509.tif 000002
【実用新案登録請求の範囲】
【請求項１】
窓ガラスに貼り付けて用いる結露防止シートであって、
断熱効果のある断熱層と、前記断熱層に積層された透明性を阻害しない再剥離性粘着層と、を有する結露防止シート。
【請求項２】
前記再剥離性粘着層は、
引張弾性率が３〜５０ＭＰaであり、
２３０℃、荷重２．１６ｋｇでのＭＦＲが１〜１００ｇ／１０ｍｉｎ．であり、
ガラス板の表面に貼着し６０分間放置後に前記ガラス板の表面から剥離したときの粘着力（ＪＩＳ Ｚ０２３７）が、０．３〜５０Ｎ／２５ｍｍである、
請求項１に記載の結露防止シート。
【考案の詳細な説明】
【技術分野】
【０００１】
本考案は、窓ガラスに貼り付けて用いる結露防止シートに関する。
【背景技術】
【０００２】
窓ガラスの結露を防止するために、断熱効果のある断熱材を装着することが考えられる。例えば、自動車の窓ガラスに取り付ける断熱性マット（特許文献１を参照）、はりなおしできる窓ガラス用断熱シートなどが知られている（特許文献２を参照）。
【先行技術文献】
【特許文献】
【０００３】
【特許文献１】特開平８−２３８９４０号公報
【特許文献２】特開２００４−３１６３１９号公報
【考案の概要】
【考案が解決しようとする課題】
【０００４】
本発明は、窓ガラスに結露を発生させないように、窓ガラスに貼り付けて用いる結露防止シートであって、貼り付けても窓ガラスの光透過性を維持して視界を遮らないシートを提供する。また、一旦、窓ガラスに貼り付けた結露防止シートを窓ガラスから剥がしても窓ガラスにのり残りがなく、かつ再度、窓ガラスに貼り付けることができる結露防止シートを提供する。
【課題を解決するための手段】
【０００５】
すなわち本考案は、以下に示す結露防止シートに関する。
［１］窓ガラスに貼り付けて用いる結露防止シートであって、断熱効果のある断熱層と、前記断熱層に積層された透明性を阻害しない再剥離性粘着層と、を有する結露防止シート。
［２］前記再剥離性粘着層は、引張弾性率が３〜５０ＭＰａであり；２３０℃、荷重２．１６ｋｇでのＭＦＲが１〜１００ｇ／１０ｍｉｎ．であり；ガラス板の表面に貼着し６０分間放置後に前記ガラス板の表面から剥離したときの粘着力（ＪＩＳ Ｚ０２３７）が、０．３〜５０Ｎ／２５ｍｍである、［１］に記載の結露防止シート。
【考案の効果】
【０００６】
本発明の結露防止シートを窓ガラスに貼り付けることで、窓ガラスの光透過性を維持しつつ、結露を防止することができる。さらには、剥離と貼り付けを繰り返すことで、結露防止シートを再利用することができる。
【図面の簡単な説明】
【０００７】
【図１】本考案の結露防止シートの積層断面を示す図である。
【図２】本考案の結露防止シートを、自動車のフロント窓ガラスに貼り付けた状態を示す図である。
【考案を実施するための形態】
【０００８】
結露防止シートについて
本考案の結露防止シートは、断熱効果のある断熱層と、透明性を阻害しない再剥離性粘着層と、を有する。さらに必要に応じて、シートとしての物理的強度を補強するための補強層や、防湿性を有する防湿シートなどを有していてもよい。
【０００９】
断熱層について
本発明の断熱層は、保温効果を有する樹脂層であればよく、透明な樹脂層であることが好ましい。断熱層とするには、断熱剤を分散させた樹脂層としたり、中空を有する発泡樹脂層としたり、エアキャップシートとしたりすればよい。
【００１０】
断熱層の表面平滑性は高いほうが好ましい。表面平滑性が著しく劣ると、透明性が失われることがある。鏡面であればもっとも好ましいが、肉眼で観察されない程度のしわはあってもよい。
【００１１】
再剥離性粘着層について
本考案の結露防止シートにおける再剥離性粘着層は、樹脂によって構成されている。再剥離性粘着層の引張弾性率は３〜５０ＭＰａであることが好ましい。引張弾性率が上記範囲より小さいと、窓ガラスと粘着層とを貼合せた際に窓ガラスに密着しすぎて、結露防止シートを窓ガラスから剥がしにくくなるためである。一方、引張弾性率が上記範囲より大きいと、窓ガラスと粘着層が密着しにくくなる。再剥離性粘着層の引張弾性率は、引張試験機ＡＧＳ−１００Ｄ（島津製作所）により測定されうる。
【００１２】
本考案の結露防止シートにおける再剥離性粘着層は、ガラス板との粘着力（ＪＩＳ Ｚ０２３７）が、０．３〜５０Ｎ／２５ｍｍの範囲であることが好ましい。一般的に、ガラスとの接着力が大きいと、補助材が窓ガラスから剥がれ落ちにくくなり好ましい。一方で、ガラスとの粘着力が一定以上に大きいと、結露防止シートを窓ガラスから剥がしにくく、さらに、結露防止シートを貼りなおすときの作業が生じたときの作業性が悪い。したがって、再剥離性粘着層のガラス板との粘着力は、好ましくは、０．５〜１０Ｎ／２５ｍｍ、より好ましくは２〜５Ｎ／２５ｍｍの範囲である。
【００１３】
本考案の眼鏡貼付用補助材における再剥離性粘着層の、ＡＳＴＭ  Ｄ１２３８に従って２３０℃、荷重２．１６ｋｇで測定されるＭＦＲが１〜１００ｇ／１０分であることが好ましい。ＭＦＲが上記範囲よりも小さいと樹脂が流動し難く、上記範囲よりも大きいと樹脂が流動しすぎて、いずれも粘着層を均一な形状に成形し難いからである。
【００１４】
一般的に、ガラスへの粘着力を高めるためには、粘着層としてアクリル樹脂などの接着剤を使用するのが一般的である。しかし、アクリル樹脂などの接着剤を使用してガラスに貼り付ける場合には、ガラスから剥離したときに接着剤が残留し、汚染が発生する（のり残り）という問題があった。
【００１５】
そこで本考案は、再剥離性粘着層として、上記接着剤ではなく、後述する樹脂を粘着剤として用いた。これにより、貼りなおしなど、ガラスから剥離する場合のり残りがほとんど発生することなく、接着剤を用いることなく高い美観と作業性に優れる結露防止シートを実現することができた。
【００１６】
なお本明細書における粘着力（ＪＩＳ  Ｚ０２３７）とは、ガラス板の表面に貼着し６０分間放置後に前記ガラス板の表面から剥離したときの粘着力をいう。
【００１７】
本考案に用いられる再剥離性粘着剤は、窓ガラスの透明性を阻害しないことが好ましい。透明性を阻害しないとは、本考案の結露防止シートを窓ガラスに貼り付けても、光の透過を確保できる程度のことをいう。例えば、粘着層のヘイズは小さいほど好ましく、３％以下であることが好ましく、２％以下であることがより好ましく、それよりも小さいとさらに好ましい。ヘイズとは、ＪＩＳ  Ｋ７１３６に従い測定されたものであり、例えば濁度計（曇り度計）ＮＤＨ２０００（Ｎｉｐｐｏｎ Ｄｅｎｓｈｏｋｕ社製）により測定することができる。
【００１８】
このように、のり残りがなく、かつ透明性が維持できる再剥離性粘着層を構成する樹脂の例には、オレフィン系エラストマー、スチレン系エラストマー、ウレタン系エラストマー、ポリエステル系エラストマー、ニトリル系エラストマー、ポリアミド系エラストマー、ふっ素系エラストマーなどが好ましい。具体的には、Ｎｏｔｉｏ（三井化学株式会社製、登録商標）、タフマー、ミラストマー（三井化学株式会社製、登録商標）、ダイナロン（ＪＳＲ社製、登録商標）などが挙げられるが、これらに限られるものではない。一方、塩素などのハロゲンを含有する樹脂は、廃棄する際に燃焼処理を行うとダイオキシンなどの有害物質が発生する可能性がある。その意味では、ポリ塩化系樹脂などではないほうが好ましい。
【００１９】
補強層について
本発明の結露防止シートは、断熱層と再剥離性粘着層とを必須構成部材とするが、シートとしての強度が十分でない場合には、補強層を有していてもよい。補強層の材質は、透明性を有する樹脂であればよく、ポリプロピレン、ポリエチレンテレフタレート、ポリ塩化ビニルなどがあげられる。
【００２０】
補強層は、断熱層と再剥離性粘着層との間に積層されていてもよいし；断熱層の、再剥離性粘着層が配置された面とは反対の面に積層されていてもよい。
【００２１】
本発明の結露防止シートの厚みは特に限定されないが、結露防止シートの再剥離性粘着層を除いた厚みが厚すぎると、窓ガラスへの密着性が落ちてくる傾向があり；薄すぎると、操作性が悪くなる傾向にある。したがって、結露防止シートの再剥離性粘着層を除いた厚みの好ましい範囲は、２０μｍ〜２０ｍｍであり、５０μｍ前後であることが好ましい場合がある。
【００２２】
剥離シートについて
本考案の結露防止シートには、再剥離性粘着層の表面に剥離シートが積層されていてもよい。結露防止シートを窓ガラスに貼り付けるときに、剥離シートを剥離して再剥離性粘着層を露出させる。剥離シートとしては通常のシートを用いることができる。その表面に、公知の剥離剤を塗布しておいたものを用いることが好ましい。剥離シートの材質は、例えば、ポリプロピレン、ポリエチレンテレフタレート、ポリ塩化ビニルなどをあげることができる。
【００２３】
剥離シートの厚みは、特に限定されないが、５０〜２００μｍであるとよい。２００μｍ以上になると、例えば本考案の結露防止シートを、所望の形状にあわせて、打ち抜いたり、裁断したりする場合に、打ち抜き性が悪くなるし；５０μｍ以下では、腰が弱くなって、剥離しにくくなる。
【００２４】
本考案の結露防止シートは、任意の方法で製造することができるが、例えば、再剥離性粘着層を構成する樹脂と断熱層を構成する樹脂とを共押出しして積層体とすればよい。押出し後に実質的に延伸しないことが好ましい。共押出しの手法は特に限定されない。
【００２５】
本考案の結露防止シートは、窓ガラスに貼り付けられて用いられるが、窓ガラスとは、家屋の窓ガラスであってもよいし、自動車などの窓ガラスであってもよいし、その他の窓ガラスであってもよい。本考案の結露防止シートは、窓ガラスの外気側の表面に貼り付けられてもよいし、室内側の表面に貼り付けられていてもよいが、結露防止という目的からすると室内側に貼り付けられることが多い。
【００２６】
以下において、図面を参照して本考案を詳細に説明する。図１Ａと図１Ｂには、本考案の結露防止シートを窓ガラスに貼り付けた状態の断面図が示される。図１Ａおよび図１Ｂに示されるように、窓ガラス１に、粘着層２と断熱層３と補強層４とからなる結露防止シートが貼り付けられており；図１Ａでは、粘着層２／断熱層３／補強層４の順に積層した結露防止シート１０が用いられているのに対し、図１Ｂでは、粘着層２／補強層４／断熱層３の順に積層された結露防止シート１０’が用いられている。
【００２７】
窓ガラス１に貼り付けた結露防止シートは、窓ガラスから剥がすこともでき、剥がした結露防止シートは、剥離シートに張り付けておけば、再使用することもできる。図１Ａおよび図１Ｂに示されるように、粘着層２が積層されていない部位を設けておけば、窓ガラスから結露防止シートを剥離しやすい。
【００２８】
図２には、自動車の窓ガラス（フロントガラス）１’に結露防止シート１０を貼り付けた状態が示される。結露防止シート１０のうち、端部１２だけは粘着層が積層されておらず、中央部１１には粘着層が積層されている。端部１２を引っ張ることで、容易に結露防止シート１０を窓ガラス１’から剥離することができ、かつのり残りは抑制されている。
【産業上の利用可能性】
【００２９】
本考案に係る結露防止シートを、窓ガラスに貼り付けることで、窓ガラスに生じる結露の発生を防止することができる。また、本考案に係る結露防止シートは、必要に応じて、窓ガラスからのり残りなしに剥離することができ、かつ再度貼り付けることができるので、結露の発生の恐れがない場合にのみ貼り付けて用いることができる。
【符号の説明】
【００３０】
１  窓ガラス
１’  自動車の窓ガラス
２  粘着層
３  断熱層
４  補強層
１０，１０’  結露防止シート
１１  粘着層がある部分
１２  粘着層がない部分
【図１】
0003159509.tif 000003
【図２】
0003159509.tif 000004
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
窓ガラスに貼り付けて用いる結露防止シートであって、
断熱効果のある断熱層と、前記断熱層に積層された透明性を阻害しない再剥離性粘着層と、を有する結露防止シート。
【請求項２】
前記再剥離性粘着層は、
引張弾性率が３〜５０ＭＰaであり、
２３０℃、荷重２．１６ｋｇでのＭＦＲが１〜１００ｇ／１０ｍｉｎ．であり、
ガラス板の表面に貼着し６０分間放置後に前記ガラス板の表面から剥離したときの、ＪＩＳ Ｚ０２３７で定義された粘着力が、０．３〜５０Ｎ／２５ｍｍである、
請求項１に記載の結露防止シート。